(57)【要約】【課題】容易に重ね葺き施工することができると共に水の浸入も防ぎやすくすることのできる平板屋根材を提供する。【解決手段】屋根３０の傾斜方向で重ね葺きされ、曝露部６と非曝露部７とを有する。前記傾斜方向で隣接する平板屋根材１のうち、前記傾斜方向で下側に位置する平板屋根材１の非曝露部７の上に、前記傾斜方向で上側に位置する平板屋根材１の曝露部６が重ねられる。前記非曝露部７には固定具３を打入するための固定用穴４と、前記固定用穴４よりもさらに上側の位置に前記固定具３を打入するための逃げ穴１０とが、それぞれ少なくとも一個以上形成される。前記逃げ穴１０の開口面積は前記固定用穴４の開口面積以上に形成される。前記傾斜方向で上側に位置する平板屋根材１の非曝露部７の固定用穴４と、傾斜方向で下側に位置する平板屋根材１の非曝露部７の逃げ穴１０とが互いに重なって位置する。【選択図】図１
2012246708.tif 000002
【特許請求の範囲】
【請求項１】
屋根の傾斜方向で重ね葺きされる平板屋根材において、前記平板屋根材は曝露部と非曝露部とを有し、屋根の傾斜方向で隣接する平板屋根材のうち、前記傾斜方向で下側に位置する平板屋根材の非曝露部の上に、前記傾斜方向で上側に位置する平板屋根材の曝露部が重ねられるようにして施工される平板屋根材であり、
前記非曝露部には固定具を打入するための固定用穴と、前記固定用穴よりもさらに上側の位置に前記固定具を打入するための逃げ穴とが、それぞれ少なくとも一個以上形成されており、前記逃げ穴の開口面積は前記固定用穴の開口面積以上に形成されており、
重ね葺き施工したときに傾斜方向で上側に位置する平板屋根材の前記固定用穴と、前記傾斜方向で下側に位置する平板屋根材の前記逃げ穴とが互いに重なって位置するように前記逃げ穴が形成されていることを特徴とする平板屋根材。
【請求項２】
前記逃げ穴は長穴状に形成されると共に前記傾斜方向の上側端面で開口していることを特徴とする請求項１に記載の平板屋根材。
【発明の詳細な説明】
【技術分野】
【０００１】
本発明は、家屋等の屋根上に葺かれる平板屋根材に関する。
【背景技術】
【０００２】
家屋等の建物の屋根３０を形成するために使用される平板屋根材１は、図３に示すように、野地板（図示は省略）の軒側（傾斜方向下側）から棟側（傾斜方向上側）に向かって、順次ラップするように重ね葺きされて施工される。この場合、平板屋根材１を野地板に連結させるために、釘やビス等の固定具３を釘穴４０に打入させている（例えば、特許文献１を参照）。
【先行技術文献】
【特許文献】
【０００３】
【特許文献１】特開２００２−１２９７０７号公報
【発明の概要】
【発明が解決しようとする課題】
【０００４】
上記のように平板屋根材１を重ね葺き施工した場合、傾斜方向と直交する方向（平板屋根材１の左右方向）では、隣り合う平板屋根材１どうしの側端面が突き合わされて、図３（ａ）に示すように、突き合せ部３５が形成されている（図では中段の平板屋根材１ｂ、１ｂとの境界部）。この突き合せ部３５には、毛管現象により雨水等の水が浸入してしまうことがあり、浸入した水は突き合せ部３５を棟側方向につたって進行し、平板屋根材１の下側の野地板に水が到達してしまうことがあった（図３（ｂ）の矢印）。あるいは、上下の平板屋根材１ｂ、１ｃの重なり面の隙間から水が浸入することもあり、この場合、水が釘穴４０まで到達し、その釘穴４０から野地板へ流れ出てしまうこともあった。このように水が平板屋根材１の下方に配設されている野地板に浸入してしまうと、野地板を損傷させたり、雨漏りの原因となってしまったりすることがあった。
【０００５】
突き合せ部３５に浸入した水を平板屋根材１下側の野地板等への到達するのを防ぐには、例えば、平板屋根材１の厚みが５ｍｍである場合、通常、上段の平板屋根材１ｃと、下段の平板屋根材１ａとの軒棟方向の重なり長さ（図３（ａ）のＬで表示）が５０ｍｍ程度あれば充分である。しかし、強風地域などでは耐風性を高めるために、平板屋根材１を５ｍｍを超える厚みのものにする必要があり、この場合では、重なり長さＬが５０ｍｍ程度では、傾斜角度によっては水が野地板に到達するのを防ぐことはできないこともあった。
【０００６】
上記重なり長さＬを長くするために、例えば、平板屋根材１を軒棟方向に長くしたものを使用することが考えられる。しかし、平板屋根材１を棟側に長くすると、平板屋根材１（１ｂ）の釘穴４０に打入された固定具３は、傾斜方向で下側の平板屋根材１（１ａ）も貫通することになるので、この場合、厚い平板屋根材１では固定具３を打入しにくくなったり、平板屋根材１が損傷したりすることがあった。逆に、平板屋根材１を軒側に長くすると、強風地域等では平板屋根材１が強風によりめくり上がってしまうおそれがあった。
【０００７】
本発明は上記の点に鑑みてなされたものであり、容易に重ね葺き施工することができると共に水の浸入も防ぎやすくすることのできる平板屋根材を提供することを目的とするものである。
【課題を解決するための手段】
【０００８】
本発明に係る平板屋根材は、屋根の傾斜方向で重ね葺きされる平板屋根材において、前記平板屋根材は曝露部と非曝露部とを有し、屋根の傾斜方向で隣接する平板屋根材のうち、前記傾斜方向で下側に位置する平板屋根材の非曝露部の上に、前記傾斜方向で上側に位置する平板屋根材の曝露部が重ねられるようにして施工される平板屋根材であり、前記非曝露部には固定具を打入するための固定用穴と、前記固定用穴よりもさらに上側の位置に前記固定具を打入するための逃げ穴とが、それぞれ少なくとも一個以上形成されており、前記逃げ穴の開口面積は前記固定用穴の開口面積以上に形成されており、重ね葺き施工したときに傾斜方向で上側に位置する平板屋根材の前記固定用穴と、前記傾斜方向で下側に位置する平板屋根材の前記逃げ穴とが互いに重なって位置するように前記逃げ穴が形成されていることを特徴とする。
【０００９】
また、前記逃げ穴は長穴状に形成されると共に前記傾斜方向の上側端面で開口していることが好ましい。
【発明の効果】
【００１０】
本発明の平板屋根材は、容易に重ね葺き施工することができると共に水の浸入も防ぎやすくすることのできるものである。
【図面の簡単な説明】
【００１１】
【図１】本発明の平板屋根材の実施の形態の一例を示し、（ａ）はその平面図、（ｂ）はその施工状態を示す平面図、（ｃ）はその施工状態を示す側面視断面図である。
【図２】本発明の平板屋根材の他の実施の形態の一例を示す平面図である。
【図３】従来例の平板屋根材の施工状態を示し、（ａ）はその平面図、（ｂ）はその側面視断面図である。
【発明を実施するための形態】
【００１２】
以下、本発明を実施するための形態を説明する。
【００１３】
本発明の平板屋根材１は、図１（ａ）に示すように、平面視略矩形状で幅広の平板状に形成されるものであり、平板屋根材１の上片は棟側端部２ａ、下片は軒側端部２ｂとして形成されている。尚、平板屋根材１の形状は平面視略矩形状に限らず、その他の形状であっても良い。
【００１４】
そして、平板屋根材１は屋根３０の傾斜方向に沿って重ね葺きされるものであり、具体的には、図１（ｂ）に示すように、傾斜方向の下側である軒側から、傾斜方向の上側である棟側に向かって上下に隣接させながら重ね葺きされて施工され、屋根３０が形成される。この場合、平板屋根材１において棟側端部２ａが傾斜方向の上側（棟側）、軒側端部２ｂが傾斜方向の下側（軒側）に位置するものとなる。尚、通常、平板屋根材１は野地板等の表面に重ね葺きされていくものであるが、図では省略している。
【００１５】
そして、傾斜方向と直交する方向（平板屋根材１の左右方向）では、左右に隣り合う平板屋根材１、１の側端面どうしが突き合わされて突き合せ部３５が形成されながら、左右方向に敷き詰められている。
【００１６】
また、平板屋根材１は、曝露部６と、非曝露部７とを有するものである。曝露部６は、平板屋根材１が重ね葺きされたときに外部に露出している部分であり、非曝露部７は、平板屋根材１が重ね葺きされたときに重ね合わされて下側に位置し、外部には露出しない部分である。平板屋根材１において、曝露部６は、非曝露部７よりも下側（軒側）に位置している。
【００１７】
屋根３０の傾斜方向（以下、軒棟方向という）で隣接する平板屋根材１、１に着目すると、この場合、軒側に配置されている平板屋根材１の非曝露部７に、棟側に配置されている平板屋根材１が重ねられている。そして、その棟側に配置されている平板屋根材１の曝露部６は、軒側に配置されている平板屋根材１の非曝露部７の上面に位置するものとなっている。
【００１８】
平板屋根材１の非曝露部７には、図１（ａ）のように少なくとも一個以上の固定用穴４が形成されており、これら固定用穴４は、平板屋根材１を野地板等に固定するための固定具３を打入することができるようになっている。固定具３は、例えば、釘、ビス、ねじ、通しボルト等を使用することができる。
【００１９】
さらに、平板屋根材１の非曝露部７には、少なくとも一個以上の逃げ穴１０が、固定用穴４よりもさらに棟側の位置に形成されており、固定用穴４と同様に固定具３を打入することができるようになっている。尚、固定用穴４及び逃げ穴１０はいずれも貫通であっても、半貫通であっても良い。
【００２０】
本発明の平板屋根材１では、逃げ穴１０の開口面積は、固定用穴４の開口面積以上の大きさで形成されているものである。従って、逃げ穴１０及び固定用穴４の開口面が円形状の場合は、逃げ穴１０の直径は、固定用穴４の直径以上の長さに形成されている。
【００２１】
固定用穴４及び逃げ穴１０は、上記のように、平板屋根材１にそれぞれ一個以上設けられるものである。固定用穴４及び逃げ穴１０の個数の上限については特に限定されるものではないが、それぞれ４個以下であることが好ましく、この範囲であれば施工に手間がかかってしまうようなことはない。固定用穴４及び逃げ穴１０が複数個形成されている場合は、平板屋根材１の水平方向に略同一直線上に形成されていることが好ましく、この場合、平板屋根材１の施工状態をより安定させることができる。
【００２２】
そして、平板屋根材１を重ね葺きしたときに軒棟方向で隣接する平板屋根材１、１のうち、軒側（下方）に配置されている平板屋根材１の逃げ穴１０が、棟側（上方）に配置されている平板屋根材１の固定用穴４と、上下方向に重なって位置するように、逃げ穴１０は形成されている。
【００２３】
従って、図１（ｃ）に示すように、平板屋根材１の重ね葺き施工においては、棟側（上方）に配置されている平板屋根材１（１ｂ）の固定用穴４に固定具３を打入させて貫通させると、この固定具３はさらに、下方の平板屋根材１（１ａ）の逃げ穴１０を貫通し、野地板に挿入されることになる（図１（ｂ）では固定具３を省略して示している）。
【００２４】
上記のように、本発明の平板屋根材１では、重ね葺き施工したときに、上方の平板屋根材１の固定用穴４が下方の平板屋根材の逃げ穴１０と上下に重なるように形成されているので、重なり長さＬを長くすることが可能となる。ここで、重なり長さＬとは、三段葺き施工された平板屋根材１のうちの上段の平板屋根材１ｃの軒側端部２ｂと下段の平板屋根材１ａの棟側端部２ａとの軒棟方向に重なり合う距離のことを示す。
【００２５】
従来、重なり長さＬを長くしてしまうと、固定具３を中段の平板屋根材１ｂに打入したときに、その下側の平板屋根材１ａも貫通しなければならなかった。しかし、従来の平板屋根材１では、それに対応する逃げ穴１０が形成されていなかったので、新たに貫通する穴を形成させながら固定具３を打入しなければならず、施工性に問題があるものであった。一方、本発明の平板屋根材１では、上方の平板屋根材１の固定用穴４と下方の平板屋根材の逃げ穴１０とが上下に重なるように形成されているものである。そのため、固定具３を中段の平板屋根材１ｂに打入したときに、逃げ穴１０により、その下側の平板屋根材１ａも容易に貫通することができる。しかも、固定具３の打入において下側の平板屋根材１ａに新たに貫通穴が形成されてしまうこともないので、たとえ厚みの大きい平板屋根材１であっても、その損傷を抑制することもできる。
【００２６】
従って、平板屋根材１を棟側方向に長くすることが可能となり、図１（ｃ）に示すように、下段の平板屋根材１ａの棟側端部２ａを上方の固定具３よりも棟側に延伸させることが可能となる。具体的には、従来、重なり長さＬは５０ｍｍ程度が限界であったが、本発明の平板屋根材１の場合では、上記のような構成にしたことで、重なり長さＬを５０ｍｍ以上、例えば、６０ｍｍまで大きくすることができるものである。そして、このように平板屋根材１を棟側方向に長くしたとしても、固定用穴４の形成位置は変える必要はない。
【００２７】
上記のように、本発明の平板屋根材１では、重なり長さＬを大きくすることができるので、突き合せ部３５や、上下の平板屋根材１、１の重ね合わせ部分から雨水等の水が浸入したとしても、平板屋根材１の下側の野地板への到達を防止しやすくなる。すなわち、突き合せ部３５等に水が浸入しても、重なり長さＬが大きい分、水が平板屋根材１の下側の野地板に到達せず、途中で水の進行が止まるのである。例えば、平板屋根材１の厚みが、６ｍｍである場合、屋根勾配が２．５寸では重なり長さＬが６０ｍｍ以上であることが好ましく、この場合、野地板への水の到達を防止することがより効果的になる。ここで、屋根勾配と１寸とは、建物の水平方向の１尺（約３０３ｍｍ）に対し、高さ（建物の垂直方向）１寸（約３０．３ｍｍ）が張る角度のことを示す。
【００２８】
また、本発明の平板屋根材１を重ね葺き施工する場合、図１（ｃ）に示すように、中段の平板屋根材１ｂの固定用穴４に固定具３を打入すると、その固定具３は、必ず下段の平板屋根材１ｂの逃げ穴１０を貫通するようになっている。このように、平板屋根材１に固定具３を貫通しても、その平板屋根材１の下側には必ず他の平板屋根材１があるので、重ね葺き施工時に、固定具３が打入された平板屋根材１を打ち抜いてしまうことを防止することもできる。従って、平板屋根材１を必要以上に損傷させることなく、平板屋根材１を重ね葺き施することが可能となるものである。
【００２９】
さらに、上方の平板屋根材１の固定用穴４が下方の平板屋根材１の逃げ穴１０と上下に重なるように形成されているので、固定用穴４に固定具３を打入した場合に、固定具３を平板屋根材１に対して略垂直に真っ直ぐ打入しやすくなる。
【００３０】
特に、上述のように逃げ穴１０の開口面積は、固定用穴４の開口面積以上の大きさで形成されているので、例えば、中段の平板屋根材１ｂの配設位置が、正確な位置から多少ずれてしまったとしても、逃げ穴１０の一部と固定用穴４とは上下に重なった状態になり得る。そのため、固定用穴４に固定具３を打入すれば、下方の平板屋根材の逃げ穴１０を貫通することができるので、上下の平板屋根材１、１はおのずと位置調整されることになる。従って、平板屋根材１を重ね葺きする際に、厳密に正確な位置に配設する必要性も小さくなるので、施工がより容易になり、施工時間短縮も可能となる。
【００３１】
平板屋根材１において、逃げ穴１０は、図２に示すように、傾斜方向に長くなるような長穴状に形成されると共に平板屋根材１の傾斜方向の上側端面（棟側端部２ａ）で開口するように形成されていても良い。具体的には、平板屋根材１の棟側端部２ａから切り込み溝が形成されて、その切り込み溝が逃げ穴１０と連結して、切り込み１１を形成するものである。
【００３２】
上記のように逃げ穴１０を切り込み１１として形成した場合、下段の平板屋根材１の配設位置が軒側方向に多少ずれた状態であっても良く、この場合、固定具３を打入してから、平板屋根材１の位置を微調整することが可能となる。
【符号の説明】
【００３３】
１  平板屋根材
３  固定具
４  固定用穴
６  曝露部
７  非曝露部
１０  逃げ穴
１１  切り込み
３０  屋根
【図１】
2012246708.tif 000003
【図２】
2012246708.tif 000004
【図３】
2012246708.tif 000005